【誤訳訂正書】
【提出日】平成20年7月7日(2008.7.7)
【誤訳訂正１】
【訂正対象書類名】明細書
【訂正対象項目名】発明の名称
【訂正方法】変更
【訂正の内容】
【発明の名称】クロックスキューの測定装置および方法、クロックスキューの確率推定装置および方法、ならびにプログラム
【誤訳訂正２】
【訂正対象書類名】明細書
【訂正対象項目名】特許請求の範囲
【訂正方法】変更
【訂正の内容】
【特許請求の範囲】
【請求項１】
複数の被測定クロック信号間のクロックスキューにおけるピークツゥピーク値の出現確率を推定するピークツゥピーククロックスキュー確率推定装置であって、
複数の被測定クロック信号間のクロックスキュー系列を推定するクロックスキュー推定器と、
前記クロックスキュー系列のＲＭＳ値に基づいて前記被測定クロック信号間のクロックスキューにおける前記ピークツゥピーク値が、所定の値を超える確率を決定して出力する確率推定器と
を備えていることを特徴とする、ピークツゥピーククロックスキュー確率推定装置。
【請求項２】
前記確率推定器は、前記クロックスキュー系列のＲＭＳ値に基づいて前記被測定クロック信号間のクロックスキューにおけるピーク値が、所定の値を超える確率を決定して出力することを特徴とする、請求項１に記載のピークツゥピーククロックスキュー確率推定装置。
【請求項３】
前記確率推定器は、
供給される前記クロックスキュー系列に基づいてＲＭＳ値を求めるＲＭＳ（二乗平均）検出器と、
予め定められた値を蓄積するメモリと、
前記予め定められた値と前記ＲＭＳ値とに基づいて、前記被測定クロック信号間のピークツゥピーククロックスキューが前記予め定められた値を超える確率を求めて出力する確率計算器と
を有することを特徴とする、請求項１に記載のピークツゥピーククロックスキュー確率推定装置。
【請求項４】
前記確率推定器は、
供給された前記クロックスキュー系列のＲＭＳ値を求めるＲＭＳ検出器と、
前記クロックスキュー系列データの最大値および最小値を計算してピークツゥピーク値を求めるピークツゥピーク検出器と、
前記クロックスキュー系列データの前記ピークツゥピーク値およびＲＭＳ値に基づき、前記被測定クロック信号間のクロックスキューが前記ピークツゥピーク値を超える確率を求めて出力する確率計算器と
を有することを特徴とする、請求項１に記載のピークツゥピーククロックスキュー確率推定装置。
【請求項５】
前記クロックスキュー推定器は、
複数の被測定クロック信号のタイミングジッタ系列を推定するタイミングジッタ推定器と、
複数の前記タイミングジッタ系列を受け取り、それらの間のタイミング差系列を算出して、前記クロックスキュー系列を出力するクロックスキュー計算器と
を有することを特徴とする、請求項１または２に記載のピークツゥピーククロックスキュー確率推定装置。
【請求項６】
前記クロックスキュー推定器は、前記クロックスキュー系列を入力として受け取り、前記複数のクロックスキュー系列間の差分系列を求める第２のクロックスキュー計算器をさらに有していることを特徴とする、請求項５に記載のピークツゥピーククロックスキュー確率推定装置。
【請求項７】
前記クロックスキュー推定器は、前記タイミングジッタ系列を受け取って、前記被測定クロック信号の周波数の定数倍であるような周波数を有するタイミングジッタ系列を出力する周波数逓倍器をさらに有していることを特徴とする、請求項５または６に記載のピークツゥピーククロックスキュー確率推定装置。
【請求項８】
前記クロックスキュー推定器は、複数の被測定クロック信号の理想クロックエッジ間のタイミング誤差を推定して、前記クロックスキューの確定的成分を出力する確定的クロックスキュー推定器をさらに有していることを特徴とする、請求項５または７に記載のピークツゥピーククロックスキュー確率推定装置。
【請求項９】
前記タイミングジッタ推定器は、
前記被測定クロック信号を複素数の解析信号に変換する解析信号変換器と、
前記解析信号の瞬時位相を求める瞬時位相推定器と、
前記瞬時位相からリニア位相を除去して瞬時位相雑音を求めるリニア位相除去器と、
前記瞬時位相雑音を受け取り、前記解析信号の実数部のゼロクロスタイミングに最も近い前記瞬時位相雑音データをサンプリングして前記タイミングジッタ系列を出力するゼロクロスサンプラと
を有していることを特徴とする、請求項５または７に記載のピークツゥピーククロックスキュー確率推定装置。
【請求項１０】
前記解析信号変換器は、
前記被測定クロック信号を受け取り、前記被測定クロック信号から基本周波数に最も近い成分のみを抽出して前記被測定クロック信号を帯域制限する帯域通過フィルタと、
前記帯域通過フィルタの出力信号をHilbert変換して入力信号のHilbert変換対を生成するHilbert変換器と
を有していることを特徴とする、請求項９に記載のピークツゥピーククロックスキュー確率推定装置。
【請求項１１】
前記解析信号変換器は、
前記被測定クロック信号を周波数領域の両側スペクトル信号に変換する周波数領域変換器と、
前記両側スペクトル信号から正の基本周波数に最も近いスペクトル信号成分のみを抽出する帯域制限器と、
前記帯域制限器の出力を時間領域信号に変換する時間領域変換器と
を有していることを特徴とする、請求項９に記載のピークツゥピーククロックスキュー確率推定装置。
【請求項１２】
前記解析信号変換器は、
前記被測定クロック信号を受け取って蓄積し、蓄積された信号を前回抽出された信号の一部と重なるように抽出するように構成されたバッファメモリと、
前記抽出された信号のそれぞれと窓関数とを乗算する手段と、
前記乗算された抽出信号を周波数領域の両側スペクトル信号に変換する手段と、
周波数領域に変換された前記両側スペクトル信号から、前記被測定クロック信号の正の基本周波数に最も近い成分のみを抽出する帯域制限器と、
前記帯域制限器の出力を時間領域信号に変換する手段と、
前記時間領域に変換された信号に逆窓関数を乗算して帯域制限された解析信号を求める手段と
を有していることを特徴とする、請求項９に記載のピークツゥピーククロックスキュー確率推定装置。
【請求項１３】
前記クロックスキュー推定器は、前記被測定クロック信号を受け取ってアナログ信号をデジタル信号に変換するＡＤ（アナログ−デジタル）変換器をさらに有していることを特徴とする、請求項５または７に記載のピークツゥピーククロックスキュー確率推定装置。
【請求項１４】
前記クロックスキュー推定器は、前記被測定クロック信号を受け取り、前記被測定クロック信号から振幅変調成分を除去して前記被測定クロック信号の位相変調成分のみを抽出する波形クリッパをさらに有していることを特徴とする、請求項５または７に記載のピークツゥピーククロックスキュー確率推定装置。
【請求項１５】
前記解析信号変換器は、前記被測定クロック信号に対して調整可能である通過帯域を有していることを特徴とする、請求項９に記載のピークツゥピーククロックスキュー確率推定装置。
【請求項１６】
前記クロックスキュー推定器は、前記複数の被測定クロック信号の前記タイミングジッタ系列に基づいて前記クロックスキューの不規則成分を推定する不規則クロックスキュー推定器をさらに有していることを特徴とする、請求項１に記載のピークツゥピーククロックスキュー確率推定装置。
【請求項１７】
複数の被測定クロック信号間のクロックスキューにおけるピークツゥピーク値の出現確率を推定するピークツゥピーククロックスキュー確率推定方法であって、
前記複数の被測定クロック信号間のクロックスキュー系列を推定するステップと、
前記クロックスキュー系列のＲＭＳ値に基づいて前記複数の被測定クロック信号間のクロックスキューにおける前記ピークツゥピーク値が、所定の値を超える確率を求めて出力するステップと
を包含することを特徴とする、ピークツゥピーククロックスキュー確率推定方法。
【請求項１８】
複数の被測定クロック信号間のクロックスキューにおけるピークツゥピーク値の出現確率を推定するピークツゥピーククロックスキュー確率推定方法であって、
前記複数の被測定クロック信号間のクロックスキュー系列を推定するステップと、
前記クロックスキュー系列のＲＭＳ値に基づいて前記複数の被測定クロック信号間のクロックスキューにおけるピーク値が、所定の値を超える確率を求めて出力するステップと
を包含することを特徴とする、ピークツゥピーククロックスキュー確率推定方法。
【請求項１９】
前記ピークツゥピーククロックスキューの出現確率を求めるステップは、
供給される前記クロックスキュー系列に基づいてＲＭＳ値を求めるステップと、
予め定められた値と前記ＲＭＳ値とに基づいて、前記複数の被測定クロック信号間のピークツゥピーククロックスキューが前記予め定められた値を超える確率を求めるステップと
を有することを特徴とする、請求項１７に記載のピークツゥピーククロックスキュー確率推定方法。
【請求項２０】
前記ピークツゥピーククロックスキューの出現確率を求めるステップは、
供給された前記クロックスキュー系列のＲＭＳ値を求めるステップと、
前記クロックスキュー系列データの最大値と最小値との差を計算してピークツゥピーク値を求めるステップと、
前記クロックスキュー系列データの前記ピークツゥピーク値およびＲＭＳ値に基づき、前記被測定クロック信号間のクロックスキューが前記ピークツゥピーク値を超える確率を求めるステップと
を有することを特徴とする、請求項１７に記載のピークツゥピーククロックスキュー確率推定方法。
【請求項２１】
前記クロックスキュー系列を推定するステップは、
前記複数の被測定クロック信号のタイミングジッタ系列を推定するステップと、
複数の前記タイミングジッタ系列を受け取り、それらの間の差を算出して、前記クロックスキュー系列を推定するステップと
を有することを特徴とする、請求項１７または１８に記載のピークツゥピーククロックスキュー確率推定方法。
【請求項２２】
前記クロックスキュー系列を推定するステップは、前記クロックスキュー系列を受け取り、前記複数のクロックスキュー系列間の差分系列を求め、それによりピークツゥピーククロックスキューの確率を推定するステップを有していることを特徴とする、請求項２１に記載のピークツゥピーククロックスキュー確率推定方法。
【請求項２３】
前記クロックスキュー系列を推定するステップは、前記タイミングジッタ系列を受け取って、被測定クロック信号が周波数逓倍されたときのタイミングジッタ系列を推定するステップをさらに有していることを特徴とする、請求項２１または２２に記載のピークツゥピーククロックスキュー確率推定方法。
【請求項２４】
前記クロックスキュー系列を推定するステップは、複数の被測定クロック信号の理想クロックエッジ間のタイミング誤差を推定して、前記クロックスキューの確定的成分を推定するステップをさらに有していることを特徴とする、請求項２１または２３に記載のピークツゥピーククロックスキュー確率推定方法。
【請求項２５】
前記タイミングジッタ系列を推定するステップは、
前記被測定クロック信号を複素数の解析信号に変換するステップと、
前記解析信号に基づいて前記被測定クロック信号の瞬時位相を求めるステップと、
前記瞬時位相からリニア位相を除去して瞬時位相雑音を求めるステップと、
前記瞬時位相雑音を受け取り、前記解析信号の実数部のゼロクロスタイミングに最も近い瞬時位相雑音データのみをサンプリングして前記タイミングジッタ系列を出力するステップと
をさらに有していることを特徴とする、請求項２１または２３に記載のピークツゥピーククロックスキュー確率推定方法。
【請求項２６】
前記被測定クロック信号を前記解析信号に変換するステップは、
前記被測定クロック信号から基本周波数に最も近い成分のみを抽出して前記被測定クロック信号を帯域制限するステップと、
帯域制限した信号をHilbert変換して前記被測定クロック信号のHilbert変換対を生成するステップと
を有していることを特徴とする、請求項２５に記載のピークツゥピーククロックスキュー確率推定方法。
【請求項２７】
前記被測定クロック信号を前記解析信号に変換するステップは、
前記被測定クロック信号を周波数領域の両側スペクトル信号に変換するステップと、
前記両側スペクトル信号から正の基本周波数に最も近いスペクトル信号成分のみを抽出するステップと、
前記帯域制限されたスペクトル信号を時間領域信号に変換するステップと
を有していることを特徴とする、請求項２５に記載のピークツゥピーククロックスキュー確率推定方法。
【請求項２８】
前記被測定クロック信号を前記解析信号に変換するステップは、
前記被測定クロック信号をバッファメモリに蓄積するステップと、
前記バッファメモリから蓄積された信号を前回抽出された信号の一部と重なるように順次抽出するステップと、
前記抽出された信号のそれぞれと窓関数とを乗算するステップと、
前記乗算された信号のそれぞれを周波数領域の両側スペクトル信号に変換するステップと、
周波数領域に変換された前記両側スペクトル信号から、前記被測定クロック信号の正の基本周波数に最も近い成分のみを抽出するステップと、
前記帯域制限されたスペクトル信号を時間領域信号に変換するステップと、
前記時間領域に変換された信号に逆窓関数を乗算して帯域制限された解析信号を求めるステップと
を有していることを特徴とする、請求項２５に記載のピークツゥピーククロックスキュー確率推定方法。
【請求項２９】
前記被測定クロック信号間のクロックスキューの確定的成分を推定するステップは、前記複数の被測定クロック信号のリニア瞬時位相を受け取って前記リニア瞬時位相の初期位相角の差を求めることによって前記被測定クロック信号のクロックスキューの確定的成分を見つけるステップを有していることを特徴とする、請求項２４に記載のピークツゥピーククロックスキュー確率推定方法。
【請求項３０】
前記被測定クロック信号間のクロックスキューの確定的成分を推定するステップは、前記被測定クロック信号の前記タイミングジッタ系列を受け取って、それらの相関を求めることによって、互いに対応するクロックエッジを推定して前記クロックエッジのオフセット値を求めるステップをさらに有していることを特徴とする、請求項２９に記載のピークツゥピーククロックスキュー確率推定方法。
【請求項３１】
前記複数の被測定クロック信号間のクロックスキューの確定的成分を推定するステップは、前記複数の被測定クロック信号を受け取って、各被測定クロック信号のゼロクロス時刻を決定し、対応するゼロクロス間の時間差の平均値を求めることによって、前記クロックスキューの確定的成分を見つけるステップを有していることを特徴とする、請求項２４に記載のピークツゥピーククロックスキュー確率推定方法。
【請求項３２】
前記クロックスキュー系列を推定するステップは、前記被測定クロック信号に対して波形クリップを行い、前記被測定クロック信号から振幅変調成分を除去して前記被測定クロック信号の位相変調成分のみを抽出するステップを有していることを特徴とする、請求項１７または１８に記載のピークツゥピーククロックスキュー確率推定方法。
【請求項３３】
前記クロックスキュー系列を推定するステップは、前記複数の被測定クロック信号の前記タイミングジッタ系列に基づいて前記クロックスキューの不規則成分を推定するステップをさらに有していることを特徴とする、請求項２１に記載のピークツゥピーククロックスキュー確率推定方法。
【請求項３４】
複数の被測定クロック信号間のクロックスキューを測定する装置であって、
前記複数の被測定クロック信号が入力され、それらのタイミングジッタ系列を推定するタイミングジッタ推定器と、
前記複数のタイミングジッタ系列が入力され、それらのタイミング差系列を計算してクロックスキュー系列を出力するクロックスキュー推定器と、
前記クロックスキュー系列が入力され、前記クロックスキュー系列から前記被測定クロック信号のクロックスキュー値を求めるクロックスキュー検出器と
を備えていることを特徴とする、装置。
【請求項３５】
複数のクロックスキュー系列が入力され、前記複数のクロックスキュー系列の差分系列を求める第２のクロックスキュー推定器をさらに備えていることを特徴とする、請求項３４に記載の複数の被測定クロック信号間のクロックスキューを測定する装置。
【請求項３６】
前記タイミングジッタ系列が入力され、前記タイミングジッタ系列の周波数を逓倍して周波数逓倍されたタイミングジッタ系列を前記クロックスキュー推定器に出力する周波数逓倍器をさらに備えていることを特徴とする、請求項３５に記載の複数の被測定クロック信号間のクロックスキューを測定する装置。
【請求項３７】
前記タイミングジッタ系列が入力され、前記タイミングジッタ系列の周波数を逓倍して周波数逓倍されたタイミングジッタ系列を前記クロックスキュー推定器に出力する周波数逓倍器をさらに備えていることを特徴とする、請求項３４に記載の複数の被測定クロック信号間のクロックスキューを測定する装置。
【請求項３８】
前記複数の被測定クロック信号の理想クロックエッジ間のタイミング誤差を推定して前記クロックスキュー推定器にクロックスキューの確定的成分を出力する確定的クロックスキュー推定器をさらに備えており、
前記クロックスキュー推定器は、前記クロックスキューの確定的成分を前記タイミング差系列に加えた値を前記クロックスキュー系列として出力する推定器であることを特徴とする、請求項３４に記載の複数の被測定クロック信号間のクロックスキューを測定する装置。
【請求項３９】
前記クロックスキュー系列が入力され、前記クロックスキュー系列から前記被測定クロック信号のクロックスキュー値を求めるクロックスキュー検出器をさらに有していることを特徴とする、請求項３４から３８のいずれか１つに記載の複数の被測定クロック信号間のクロックスキューを測定する装置。
【請求項４０】
前記クロックスキュー検出器は、前記クロックスキュー系列の最大値と最小値との差を求める１または複数のピークツゥピーク検出器と、前記クロックスキュー系列の二乗平均値を求めるＲＭＳ検出器と、前記クロックスキュー系列のヒストグラムを求めるヒストグラム推定器とを備えていることを特徴とする、請求項３９に記載の複数の被測定クロック信号間のクロックスキューを測定する装置。
【請求項４１】
前記タイミングジッタ推定器は、
前記被測定クロック信号を複素数の解析信号に変換する解析信号変換器と、
前記解析信号の瞬時位相を求める瞬時位相推定器と、
前記瞬時位相を連続瞬時位相に変換する連続位相変換器と、
前記連続瞬時位相から、そのリニア瞬時位相を推定するリニア位相推定器と、
前記連続瞬時位相から前記リニア瞬時位相を除去して瞬時位相雑音を求める減算器と、
入力を前記解析信号の実数部のゼロクロスタイミングに近いタイミングでサンプリングしてサンプルされた信号を出力するゼロクロスサンプラであって、前記瞬時位相推定器と前記連続位相変換器との間、前記連続位相変換器と前記リニア位相推定器／減算器との間、および前記減算器の出力側の接続点のいずれか１つに直列に挿入されている、ゼロクロスサンプラとを備えており、
前記被測定クロック信号のタイミングジッタ系列は、前記タイミングジッタ推定器の出力として出力されることを特徴とする、請求項３４から３８のいずれか１つに記載の複数の被測定クロック信号間のクロックスキューを測定する装置。
【請求項４２】
前記複数の被測定クロック信号の前記確定的クロックスキュー推定器は、前記リニア瞬時位相の初期位相角間の差を求めてクロックスキューの確定的成分を求める推定器であることを特徴とする、請求項４１に記載の複数の被測定クロック信号間のクロックスキューを測定する装置。
【請求項４３】
前記解析信号変換器は、前記被測定クロック信号の通過帯域を変更することができることを特徴とする、請求項４１に記載の複数の被測定クロック信号間のクロックスキューを測定する装置。
【請求項４４】
前記被測定クロック信号のタイミングジッタ系列に基づいて前記クロックスキューの不規則成分を推定する不規則クロックスキュー推定器を
さらに有していることを特徴とする、請求項３４に記載の複数の被測定クロック信号間のクロックスキューを測定する装置。
【請求項４５】
前記被測定クロック信号が入力され、前記被測定クロック信号の位相変調成分を保持した状態で前記被測定クロック信号の振幅変調成分を除去して、前記振幅変調成分が除去された被測定クロック信号を出力する波形クリッパをさらに有していることを特徴とする、請求項３４から３８のいずれか１つに記載の複数の被測定クロック信号間のクロックスキューを測定する装置。
【請求項４６】
複数の被測定クロック信号間のクロックスキューを測定する方法であって、
前記複数の被測定クロック信号のタイミングジッタ系列を推定するステップと、
前記複数のタイミングジッタ系列が間のタイミング差系列を計算してクロックスキュー系列を推定するステップと、
前記クロックスキュー系列から前記被測定クロック信号のクロックスキュー値を求めるステップと
を包含していることを特徴とする、方法。
【請求項４７】
前記複数のクロックスキュー系列の差分系列を求めてクロックスキュー系列を推定するステップをさらに包含していることを特徴とする、請求項４６に記載の複数の被測定クロック信号間のクロックスキューを測定する方法。
【請求項４８】
前記タイミングジッタ系列を受け取って、前記被測定クロック信号の周波数の定数倍であるような周波数を有するタイミングジッタ系列を出力するステップをさらに包含していることを特徴とする、請求項４７に記載の複数の被測定クロック信号間のクロックスキューを測定する方法。
【請求項４９】
前記タイミングジッタ系列を受け取って、前記被測定クロック信号の周波数の定数倍であるような周波数を有するタイミングジッタ系列を出力するステップをさらに包含していることを特徴とする、請求項４６に記載の複数の被測定クロック信号間のクロックスキューを測定する方法。
【請求項５０】
前記複数の被測定クロック信号の理想クロックエッジ間のタイミング誤差を推定してクロックスキューの確定的成分を推定するステップをさらに包含しており、
前記クロックスキュー系列を推定するステップは、前記クロックスキューの確定的成分を前記タイミング差系列に加えた値を前記クロックスキュー系列として出力することを特徴とする、請求項４６に記載の複数の被測定クロック信号間のクロックスキューを測定する方法。
【請求項５１】
前記クロックスキュー系列から前記被測定クロック信号のクロックスキュー値を求めるステップをさらに包含していることを特徴とする、請求項４６から５０のいずれか１つに記載の複数の被測定クロック信号間のクロックスキューを測定する方法。
【請求項５２】
前記クロックスキューを求めるステップは、前記クロックスキュー系列の最大値と最小値との差を求めてピークツゥピーク値を算出する１または複数のステップと、前記クロックスキュー系列の二乗平均値を求めてＲＭＳ値を算出するステップと、前記クロックスキュー系列のヒストグラムデータを求めるステップとを備えていることを特徴とする、請求項５１に記載の複数の被測定クロック信号間のクロックスキューを測定する方法。
【請求項５３】
前記タイミングジッタ系列を推定するステップは、
前記被測定クロック信号を複素解析信号に変換するステップと、
前記解析信号から前記被測定クロック信号の瞬時位相を求めるステップと、
前記瞬時位相を連続瞬時位相に変換するステップと、
前記連続瞬時位相から、そのリニア瞬時位相を推定するステップと、
前記連続瞬時位相から前記リニア瞬時位相を除去して瞬時位相雑音を求めるステップと、
前記瞬時位相、前記連続瞬時位相および前記位相雑音波形のいずれか１つを前記解析信号の実数部のゼロクロスタイミングに近いタイミングでサンプリングするステップと
を有しており、
前記被測定クロック信号のタイミングジッタ系列が最終的に求められることを特徴とする、請求項４６から５０のいずれか１つに記載の複数の被測定クロック信号間のクロックスキューを測定する方法。
【請求項５４】
前記被測定クロック信号間のクロックスキューの確定的成分を推定するステップは、前記複数の被測定クロック信号の前記リニア瞬時位相の初期位相角間の差を求めてクロックスキューの確定的成分を求めるステップであることを特徴とする、請求項５３に記載の複数の被測定クロック信号間のクロックスキューを測定する方法。
【請求項５５】
前記被測定クロック信号のクロックスキューの確定的成分を推定するステップは、
前記複数の被測定クロック信号のタイミングジッタ系列間の相関、または前記複数の被測定クロック信号の瞬時位相雑音間の相関のいずれかが最大値を示すオフセット信号を求めることによってクロックエッジのオフセット値を求めるステップと、
前記オフセット値と前記初期位相角間の差との和を求めて、クロックスキューの前記確定的成分を求めるステップと
を有することを特徴とする、請求項５４に記載の複数の被測定クロック信号間のクロックスキューを測定する方法。
【請求項５６】
前記被測定クロック信号間のクロックスキューの確定的成分を推定するステップは、前記複数の被測定クロック信号間のゼロクロスタイミングの差の平均値を求めて、クロックスキューの確定的成分を求めるステップであることを特徴とする、請求項５３に記載の複数の被測定クロック信号間のクロックスキューを測定する方法。
【請求項５７】
前記被測定クロック信号の前記タイミングジッタ系列に基づいて、前記クロックスキューの不規則成分を推定するステップをさらに包含していることを特徴とする、請求項４６に記載の複数の被測定クロック信号間のクロックスキューを測定する方法。
【請求項５８】
前記被測定クロック信号の位相変調成分を保持した状態で波形クリップを行って前記被測定クロック信号の振幅変調成分を除去し、前記タイミングジッタ系列を推定するステップに移るステップをさらに包含していることを特徴とする、請求項４６から５０のいずれか１つに記載の複数の被測定クロック信号間のクロックスキューを測定する方法。
【請求項５９】
コンピュータにおいて実行されることで、複数の被測定クロック信号間のクロックスキューにおけるピークツゥピーク値の出現確率を推定する装置を機能させるプログラムであって、
前記装置を、
複数の被測定クロック信号間のクロックスキュー系列を推定するクロックスキュー推定器と、
前記クロックスキュー系列のＲＭＳ値に基づいて前記被測定クロック信号間のクロックスキューにおける前記ピークツゥピーク値が、所定の値を超える確率を決定して出力する確率推定器と
して機能させるプログラム。
【請求項６０】
コンピュータにおいて実行されることで、複数の被測定クロック信号間のクロックスキューを測定する装置を機能させるプログラムであって、
前記装置を、
前記複数の被測定クロック信号が入力され、それらのタイミングジッタ系列を推定するタイミングジッタ推定器と、
前記複数のタイミングジッタ系列が入力され、それらのタイミング差系列を計算してクロックスキュー系列を出力するクロックスキュー推定器と、
前記クロックスキュー系列が入力され、前記クロックスキュー系列から前記被測定クロック信号のクロックスキュー値を求めるクロックスキュー検出器と
して機能させるプログラム。
【誤訳訂正３】
【訂正対象書類名】明細書
【訂正対象項目名】００３７
【訂正方法】変更
【訂正の内容】
【００３７】
上述した考察に基づいて、本発明におけるピークツゥピーククロックスキューの確率推定方法は、被測定信号間のクロックスキューのピーク値の出現確率を求める。
さらに、瞬時位相雑音から低周波数成分を除くことによって、タイミングジッタの確率密度関数をガウス分布に近づけることができ、これにより確率推定の精度を向上させることができる。
【誤訳訂正４】
【訂正対象書類名】明細書
【訂正対象項目名】００５９
【訂正方法】変更
【訂正の内容】
【００５９】
また、図３３に示すピークツゥピーククロックスキュー確率推定装置は、クロックスキューのピーク値の出現確率を求める装置として構成することも可能である。この場合、確率計算器１０５は、式（３６）を用いて上記所定の値を超えるクロックスキューのピーク値の確率を決定し、ピークツゥピーク検出器３０１がクロックスキューの最大値または最小値を決定する。
同様に、図３４に示すピークツゥピーククロックスキュー確率推定方法は、被測定信号間のクロックスキューにおけるピークツゥピーク値の出現確率を計算するステップ２０４をクロックスキューのピーク値の出現確率を計算するステップに置き換え、かつクロックスキューのピークツゥピーク値を求めるステップ４０１をクロックスキュー系列の最大値または最小値を計算してピーク値を求めるステップに置き換えることによって、手順からこれらのクロックスキューのピーク値の出現確率を決定することができる。
【誤訳訂正５】
【訂正対象書類名】明細書
【訂正対象項目名】００７１
【訂正方法】変更
【訂正の内容】
【００７１】
次に、本実施形態の解析信号変換器１５００を用いて、被測定信号を帯域制限された解析信号に変換する動作を説明する。図４６に本実施形態の信号変換方法の手順を示す。はじめに、ステップ１６０１において、帯域通過フィルタ１５０１は、被測定信号から基本周波数に最も近い成分のみを抽出して被測定信号を帯域制限する。そしてステップ１６０２において、Hilbert変換器１５０２は帯域制限された被測定信号にHilbert変換を適用し、解析信号の虚数部に対応する、入力信号のHilbert変換対を生成する。最後にステップ１６０３において、解析信号変換器１５００は、帯域通過フィルタ１５０１からの出力信号を解析信号の実数部として出力し、Hilbert変換器１５０２からの出力信号を解析信号の虚数部として出力して、処理を終了する。
図４７に、本実施形態のタイミングジッタ推定器１３００で用いられる解析信号変換器の他の構成例を示す。解析信号変換器１７００は、被測定信号を周波数領域の両側スペクトル信号に変換する周波数領域変換器１７０１と、周波数領域の両側スペクトル信号から正の基本周波数に最も近い成分のみを抽出する帯域制限器１７０２と、上記帯域制限器１７０２の出力を時間領域信号に再変換する時間領域変換器１７０３とによって構成されている。周波数領域変換器１７０１および時間領域変換器１７０３は、それぞれ、ＦＦＴおよび逆ＦＦＴによって実装され得る。また、帯域制限器１７０２は、信号の通過帯域を自由に変更するように構成することができる。
【誤訳訂正６】
【訂正対象書類名】明細書
【訂正対象項目名】００７２
【訂正方法】変更
【訂正の内容】
【００７２】
次に、本実施形態の解析信号変換器１７００を用いて、被測定信号を帯域制限された解析信号に変換する動作を説明する。図４８に、本実施形態の信号変換方法の他の手順を示す。はじめに、ステップ１８０１において、周波数領域変換器１７０１が被測定信号にＦＦＴを適用して時間領域信号を周波数領域の両側スペクトル信号に変換する。続いてステップ１８０２において、帯域制限器１７０２が、変換された周波数領域の両側スペクトル信号に関して、負の周波数成分をゼロに置き換える。そしてステップ１８０３において、帯域制限器１７０２は、負の周波数成分がゼロに置換された片側スペクトル信号における、被測定信号の基本周波数に最も近い成分のみを残して周波数領域の信号を帯域制限する。最後に、ステップ１８０４において、時間領域変換器１７０３が帯域制限された片側スペクトル信号に逆ＦＦＴを適用して、周波数領域信号を時間領域の解析信号に変換し、処理を終了する。上記ステップ１８０２および１８０３の順序は互いに入れ替えてもよい。つまり、被測定信号の基本周波数に最も近い成分のみを残し、残る周波数成分をゼロに置換することによって周波数領域の信号を帯域制限するステップの後に、両側スペクトル信号の負の周波数成分をゼロに置換するステップを行うこともできる。
図４９に、本実施形態のタイミングジッタ推定器１３００で用いられる解析信号変換器のさらに他の例を示す。解析信号変換器１９００は、被測定信号を蓄積するバッファメモリ１９０１と、バッファメモリ１９０１から信号を、前回取り出した信号と一部が重なるように取り出す信号取り出し器１９０２と、信号の取り出された部分それぞれに窓関数を乗算する窓関数乗算器１９０３と、窓関数を乗算された信号の各部分を周波数領域の両側スペクトル信号に変換する周波数領域変換器１９０４と、周波数領域に変換された両側スペクトル信号から被測定信号の正の基本周波数に最も近い成分のみを抽出する帯域制限器１９０５と、帯域制限器１９０５の出力を時間領域信号に変換する時間領域変換器１９０６と、逆窓関数を時間領域に変換された信号に乗算して帯域制限された解析信号を求める逆窓関数乗算器１９０７とによって構成されている。周波数領域変換器１９０４と時間領域変換器１９０６とは、それぞれ、ＦＦＴおよび逆ＦＦＴを用いて実現され得る。また、帯域制限器１９０５は、信号の通過帯域を自由に変更するように構成され得る。
【誤訳訂正７】
【訂正対象書類名】明細書
【訂正対象項目名】００８１
【訂正方法】変更
【訂正の内容】
【００８１】
以下、本発明の第２の実施形態を説明する。
図５７は、本実施形態のクロックスキュー測定装置の一実施例の機能構成を示している。このクロックスキュー測定装置３１００は、被測定クロック信号ｘｊ（ｔ）、ｘｋ（ｔ）のタイミングジッタ系列Δφｊ［ｎ］、Δφｋ［ｎ］を推定するタイミングジッタ推定器３１０１ａ、３１０１ｂと、各被測定クロック信号の理想クロックエッジ間のタイミング誤差を推定し、クロックスキューの確定的成分τｊ，ｋＳｋｅｗを推定する確定的クロックスキュー推定器３１０２と、上記タイミングジッタ系列Δφｊ［ｎ］、Δφｋ［ｎ］を入力とし、それらのタイミング差系列を計算し、クロックスキュー系列Ｔｊ，ｋＳｋｅｗ［ｎ］を出力するクロックスキュー推定器３１０３と、上記クロックスキュー系列から上記被測定クロック信号間のクロックスキューを求めるクロックスキュー検出器３１０４とによって構成されている。また、クロックスキュー検出器３１０４は、上記クロックスキュー系列Ｔｊ，ｋＳｋｅｗ［ｎ］の最大値と最小値との差を求めるピークツゥピーク検出器３１０５と、上記クロックスキュー系列の標準偏差として、ＲＭＳ値を計算するＲＭＳ検出器３１０６と、上記クロックスキュー系列のヒストグラムを求めるヒストグラム推定器３１０７とによって構成されている。タイミングジッタ推定器３１０１ａ、３１０１ｂは、タイミングジッタ系列Δφｊ［ｎ］、Δφｋ［ｎ］のほかに、被測定クロック信号ｘｊ（ｔ）、ｘｋ（ｔ）の初期位相角φｊ０、φｋ０を推定し、確定的クロックスキュー推定器３１０２に出力する。タイミングジッタ推定器３１０１ａ、３１０１ｂの具体的な構成については後で述べる。
【誤訳訂正８】
【訂正対象書類名】明細書
【訂正対象項目名】００９０
【訂正方法】変更
【訂正の内容】
【００９０】
図６３は、タイミングジッタ推定器３１０１ａ、３１０１ｂ、３１０１ｃ、３１０１ｄの構成の一例を示している。このタイミングジッタ推定器３９００は、例えば、T. J. Yamaguchi, M. Soma, M. Ishida. T. Watanabe, and T. Ohmi, "Extraction of Peak-to-Peak and RMS Sinusoidal Jitter Using an Analytic Signal Method", Proceedings of 18th IEEE VLSI Test Symposium, pp, 395-402, 2000に記載されている。このタイミングジッタ推定器３９００は、被測定クロック信号を帯域制限された複素数の解析信号に変換する解析信号変換器３９０１と、解析信号変換器３９０１で変換された解析信号の瞬時位相を求める瞬時位相推定器３９０２と、瞬時位相推定器３９０２で推定された瞬時位相からリニア瞬時位相を除去して瞬時位相雑音を得るリニア位相除去器３９０３と、解析信号変換器３９０１から解析信号の実数部が入力されて、そのゼロクロスタイミングに近い点(近似ゼロクロス点)でサンプリングパルスを発生するゼロクロス検出器３９０４と、リニア位相除去器３９０３で推定された瞬時位相雑音を入力とし、ゼロクロス検出器３９０４からのサンプリングパルスにより上記瞬時位相雑音をサンプリングし、タイミングジッタ系列を出力するゼロクロスサンプラ３９０５とによって構成されている。解析信号変換器３９０１は、信号の通過帯域を自由に変更できるように構成してもよい。また、リニア位相除去器３９０３は、瞬時位相雑音と同時に被測定クロック信号の初期位相角を求め、求められた初期位相角を確定的クロックスキュー推定器に出力する。
【誤訳訂正９】
【訂正対象書類名】明細書
【訂正対象項目名】００９３
【訂正方法】変更
【訂正の内容】
【００９３】
図６６は、タイミングジッタ推定器３９００で用いられる解析信号変換器３９０１のさらに他の構成例を示している。この解析信号変換器４５００は、被測定クロック信号と蓄積するバッファメモリ４５０１と、バッファメモリ４５０１から信号を前回取り出した分と一部重複させながら順次取り出す信号取り出し器（波形データ選択器）４５０２と、その取り出された部分信号に窓関数を乗算する窓関数乗算器４５０３と、窓関数を乗算された部分信号を周波数領域の両側スペクトル信号に変換する周波数領域変換器４５０４と、その周波数領域に変換された両側スペクトル信号から被測定クロック信号の正の基本周波数付近の成分のみを取り出す帯域制限器４５０５と、帯域制限器４５０５の出力を時間領域の信号に逆変換する時間領域変換器４５０６と、その時間領域に変換された信号に上記窓関数の逆数を乗じて帯域制限された解析信号を得る逆窓関数乗算器４５０７とによって構成されている。周波数領域変換器４５０４および時間領域変換器４５０６は、それぞれ、例えばＦＦＴおよび逆ＦＦＴを用いて実装してもよい。また帯域制限処理器４５０５は、信号の通過帯域を自由に変更できるように構成してもよい。
【誤訳訂正１０】
【訂正対象書類名】明細書
【訂正対象項目名】００９８
【訂正方法】変更
【訂正の内容】
【００９８】
あるいはステップ４００３ａで得られた連続瞬時位相を、ステップ５００２において近似ゼロクロス点でサンプリングして連続瞬時位相のサンプル系列を求めて、ステップ４００３ｂに移って、その連続瞬時位相のサンプル系列から瞬時リニア位相を推定してもよい。いずれの場合も、ステップ４００４において、瞬時位相雑音を近似ゼロクロス点でサンプリングすることによってタイミングジッタ系列Δφｊ［ｎ］が得られる。
図５８中の確定的クロックスキュー推定器３１０２については、例えば図７０に示すように被測定クロック信号ｘｊ（ｔ）、ｘｋ（ｔ）をそれぞれゼロクロスタイミング検出器３０８１、３０８２に入力して、これら各信号のゼロクロスタイミング系列ｔｊｘｅｒｏ，ｃ（ｎ）、ｔｋｘｅｒｏ，ｃ（ｎ）をそれぞれ減算器３０８３に入力してこれらゼロクロスタイミング系列ｔｊｘｅｒｏ，ｃ（ｎ）、ｔｋｘｅｒｏ，ｃ（ｎ）の対応するゼロクロス時刻間の時間差系列を求めてもよい。これらの時間差の平均値を平均値計算器３０８４で計算して、平均値を確定的クロックスキュー値τｊ，ｋＳｋｅｗとして求める。
図５７および図６１に示した装置は、コンピュータにおいてプログラムを実行させて機能させることもできる。